(57)【要約】      （修正有）【課題】車両、特に保冷車・冷蔵車・冷凍車等のコンテナの天井部に設けられている、照明装置取付のための窓部および照明装置嵌合凹部からの熱放射を抑制して冷却効果の低下を回避すると共に、発熱量を小さく抑えてコンテナ内部の低温保持に寄与し、かつ、照明装置取付のための既存の窓部および照明装置嵌合凹部の活用によって、取り付け前段の段取りを省略して取付作業を容易にする車両等のコンテナ内部の照明装置を提供する。【解決手段】照明装置７は、ＬＥＤ８ａを備えた光照射ユニット８と、その光照射側のみを露出させて光照射ユニット８を嵌合保持する保持部材と、保持部材を嵌合保持する皿形の受皿部材１０とを具備し、該皿形の受皿部材１０は、前記保持部材を内面に嵌合する凸部１０ａと、この凸部１０ａの下端開口部周縁に設けた取付用のフランジ部１０ｂとを備えている。【選択図】図４
0003146265.tif 000002
【実用新案登録請求の範囲】
【請求項１】
車両等のコンテナ内部の照明装置であって、
該照明装置は、ＬＥＤを備えた光照射ユニットと、この光照射ユニットの光照射側を露出させて該光照射ユニットを嵌合保持する保持部材と、この保持部材を嵌合保持する皿形の受皿部材とを具備し、
該皿形の受皿部材は、前記保持部材を内面に嵌合する凸部と、この凸部の下端開口部周縁に設けた取付用のフランジ部とを備えていることを特徴とする車両等のコンテナ内部の照明装置。
【考案の詳細な説明】
【技術分野】
【０００１】
本考案は、車両等のコンテナ内部の照明装置に関するものである。
【背景技術】
【０００２】
車両、特に保冷車・冷蔵車・冷凍車等のコンテナ（ボディ）として、たとえば特許文献１に記載のものが提案されている。
【０００３】
また、図６に、他の保冷車・冷蔵車・冷凍車等のコンテナ５０の一例を示す。コンテナ５０は、一般に、外板５１ａと内板５１ｂの間に断熱材５１ｃを介在させた断熱構造パネル５１で、天井部５２，左右両側壁部５３および床部５４を構成した箱状のもので、床部５４は横根太５５を介して、図７に示す車両５６の運転席５７を搭載して後方にのびるシャーシー５８（図６参照）に搭載して運転席５７に連結されている。
【０００４】
前記コンテナ５０の天井部５２には、照明装置６０が取り付けられている。従来の照明装置６０は、図８に示すように、内側に光照射ユニット６１を有し、光照射ユニット６１は、直管形の蛍光灯６１ａと、蛍光灯６１ａを覆う透明樹脂製のカバー６１ｂとを備えている。
【０００５】
一方、図８に示す天井部５２を構成している断熱構造パネル５１において、その内板５１ｂには一部を切欠した窓部が形成されているとともに、断熱材５１ｃには窓部に連通する照明装置嵌合凹部５２ｂが上向きに凹入して形成されている。したがって、照明装置６０は、窓部を介して照明装置嵌合凹部５２ｂに嵌合された状態で、複数本のビスなどの締結部材６２によって取付けられる。なお、図６において、５９はラッシングレール、５９ａはエバポレータである。
【０００６】
【特許文献１】特開２００２−２６４７１７号公報
【考案の開示】
【考案が解決しようとする課題】
【０００７】
ところが、光照射ユニット６１が、直管形の蛍光灯６１ａからなる従来の照明装置６０では、蛍光灯６１ａが耐久性に乏しく、かつ、保冷車・冷蔵車・冷凍車等のコンテナ５０内の庫内温度が低いため照度が安定せず、また、蛍光灯６１ａの発熱量が大きいのでコンテナ５０内部を低温保持する上で好ましくない。しかも、消費電力が大きいので省エネを実現できないばかりか耐久性に劣るなどの欠点を有している。
【０００８】
本考案は、このような問題を解決するものであって、その目的とするところは、車両、特に保冷車・冷蔵車・冷凍車等のコンテナの天井部に設けられている、照明装置取付のための窓部および照明装置嵌合凹部からの熱放射を抑制して冷却効果の低下を回避するとともに、発熱量を小さく抑えてコンテナ内部の低温保持に寄与し、かつ、消費電力の削減によって省エネを達成し、しかも、耐久性の向上によって延命を実現できる車両等のコンテナ内部の照明装置を提供することにある。
また、従来の保冷車・冷蔵車・冷凍車等のコンテナの天井部に設けられている、照明装置取付のための既存の窓部および照明装置嵌合凹部の活用によって、取り付け前段の段取りを省略して取付作業を容易にし、熱遮断機能をもたせることで外板からの熱放射を抑制して冷却効果の低下を回避することができる車両等のコンテナ内部の照明装置を提供することにある。
【課題を解決するための手段】
【０００９】
本考案は、車両等のコンテナ内部の照明装置であって、該照明装置は、ＬＥＤを備えた光照射ユニットと、この光照射ユニットの光照射側を露出させて該光照射ユニットを嵌合保持する保持部材と、この保持部材を嵌合保持する皿形の受皿部材とを具備し、
該皿形の受皿部材は、前記保持部材を内面に嵌合する凸部と、この凸部の下端開口部周縁に設けた取付用のフランジ部とを備えていることを特徴としている。
【００１０】
本考案は、上記構成で形成されていることから、従来、車両、特に保冷車・冷蔵車・冷凍車等のコンテナの天井部に設けられている断熱構造パネルの内板に切欠形成されている既存の窓部と、該窓部に連通して断熱材に形成されている既存の照明装置嵌合凹部とを活用して照明装置を取付けることができるので、照明装置取り付け前段の段取りが省略されて、それだけ照明装置の取付作業が容易になる。
【００１１】
また、本考案は、保持部材を嵌合保持する皿形の受皿部材とを具備し、該皿形の受皿部材は、前記保持部材を内面に嵌合する凸部と、この凸部の下端開口部周縁に設けた取付用のフランジ部とを備えていることから、車両、特に保冷車・冷蔵車・冷凍車等のコンテナ内部の冷気が、熱伝導によって光照射ユニットと保持部材に伝達されてこれらの温度が低下しても、この温度低下が照明装置嵌合凹部に影響するのを抑制することができる。このため、照明装置嵌合凹部が存在することで、該照明装置嵌合凹部と外板との間に介在する断熱材の肉厚が断熱材の他の部位の肉厚よりも薄くなり、したがって、照明装置嵌合凹部と外板との間の断熱効果が小さくても、外板からの熱放射が抑えられてコンテナ内部の冷却効果が低下するのを回避することができる。
【００１２】
さらに、光照射ユニットがＬＥＤを備えていることにより、直管形の蛍光灯を備えた従来の照明装置と比較して、発熱量を小さく抑えてコンテナ内部の低温保持に寄与し、かつ、消費電力の削減によって省エネを達成し、しかも、耐久性の向上によって延命を実現することができる。
【考案の効果】
【００１３】
本考案によれば、皿形の受皿部材の熱遮断機能によって、コンテナ外板からの熱放射を抑制して冷却効果の低下を回避することができるとともに、ＬＥＤを備えた光照射ユニットによって発熱量を小さく抑えてコンテナ内部の低温保持に寄与し、かつ、消費電力の削減によって省エネを達成し、しかも、耐久性の向上によって延命を実現することができる。また、従来の保冷車・冷蔵車・冷凍車等のコンテナの天井部に設けられている既存の窓部および照明装置嵌合凹部が活用できることで、取り付け前段の段取りを省略できるので取付作業が容易になる。
【考案を実施するための最良の形態】
【００１４】
以下、本考案の好ましい実施形態を図面に基づいて説明する。
図１は本考案の一実施形態を示す説明断面図、図２は図１のＩＩ−ＩＩ線に沿う拡大断面図、図３は拡大して示す図１のＩＩＩ−ＩＩＩ矢視図、図４は図３のＩＶ−ＩＶ線に沿う断面図である。
【００１５】
図１〜図４において、保冷車・冷蔵車・冷凍車等のコンテナ１は、外板１ａと内板１ｂの間に板材や合成樹脂等からなる断熱材１ｃを介在させた断熱構造パネル２で、天井部３，左右両側壁部４および床部５を構成した箱状のもので、その前端部はフロントパネル（図示省略）によって閉じられ、後端部は図示していないリヤドアによって開閉可能に構成されているとともに、床部５は横根太６を介して、図６の従来例と同様にシャーシー５８（図６参照）に搭載して運転席５７（図７参照）に連結されている。
【００１６】
前記コンテナ１の天井部３下面には、照明装置７が取り付けられている。照明装置７は、複数のＬＥＤ８ａを備えた光照射ユニット８と、この光照射ユニット８を嵌合保持する保持部材９と、この保持部材９を嵌合保持する皿形の受皿部材１０とを具備している。
【００１７】
図３に示すように、光照射ユニット８は、その幅方向の寸法Ｗよりも長手方向の寸法Ｌを十分に大きくした薄形長方形のもので、図２，図３および図４に示すように、反射板８０と、透明または半透明樹脂製のカバー８１とを有している。
また、反射板８０には、各ＬＥＤ８ａが所定の配列パターンにより反射板８０の下側に臨出して配置されており、反射板８０とともに透明樹脂製のカバー８１内に格納されている。前記各ＬＥＤ８ａは、図示していない導電線を介して車両５６（図７参照）のバッテリー（図示省略）に電気的に接続されている。
【００１８】
保持部材９は、前記光照射ユニット８における光照射側である透明または半透明樹脂製のカバー８１の照射光透過面のみを下側に露出させて、該光照射ユニット８を嵌合保持するためのもので、合成樹脂の成形体からなり、光照射ユニット８を下側から嵌合して内面で保持する長方形で上向きの凸部９ａと、この凸部９ａの下端開口部周縁に設けた断面が上向きの溝形を呈する取付用のフランジ部９ｂとを備え、該取付用のフランジ部９ｂの四隅および長手方向中央部に６個のビス挿通孔９ｃが貫通形成されている。
【００１９】
皿形の受皿部材１０は、前記光照射ユニット８が嵌合保持されている保持部材９を下側から嵌合して保持するとともに、コンテナ１内部の冷気が熱伝導によって光照射ユニット８と保持部材９に伝達されてこれらの温度を低下させても、この温度低下が後述する照明装置嵌合凹部に影響するのを抑制することで、天井部３の外板１ａからの熱放射を抑えてコンテナ１内部の低温を保持して冷却効果が低下するのを回避するためのもので、断熱性能に優れた合成樹脂の成形体からなる。
【００２０】
前記皿形の受皿部材１０は、光照射ユニット８が嵌合されている保持部材９を下側から嵌合して内面で保持する長方形で上向きの凸部１０ａと、この凸部１０ａの下端開口部周縁に設けた平坦な取付用のフランジ部１０ｂとを備えており、上向きの凸部１０ａの天板１０ａ１の上面には、該天板１０ａ１を貫通して前記保持部材９の取付用のフランジ部９ｂに形成された６個のビス挿通孔９ｃに対応する同数のタッピングねじ孔１０ｃが設けられ、取付用のフランジ部１０ｂの四隅および長手方向中央部に６個のビス挿通孔１０ｄが貫通形成されている。
【００２１】
前記光照射ユニット８を嵌合保持している保持部材９は、その取付用のフランジ部９ｂを皿形の受皿部材１０における上向きの凸部１０ａに下側から嵌合して、取付用のフランジ部９ｂに貫通形成した６個のビス挿通孔９ｃを皿形の受皿部材１０に設けた６個のタッピングねじ孔１０ｃに対向させたのち、各ビス挿通孔９ｃ側からタッピングビス１１を各タッピングねじ孔１０ｃにねじ込んで締結することで、保持部材９は光照射ユニット８の光照射側のみを露出させて、つまり、光照射ユニット８における透明または半透明樹脂製のカバー８１の照射光透過面のみを下側に露出させて、皿形の受皿部材１０における上向きの凸部１０ａに嵌合保持された照明装置７の組立状態が得られる。
【００２２】
一方、図５〜図７で説明した従来の照明装置６０を取り外した場合において、図１，図２および図４に示すように、コンテナ１の天井部３を構成している断熱構造パネル２には、その内板１ｂの一部を切欠した窓部１２が既に存在し、該窓部１２に連通して上向きに凹入する照明装置嵌合凹部１３が断熱材１ｃに既に存在している。したがって、照明装置７は、窓部１２を貫通して照明装置嵌合凹部１３に皿形の受皿部材１０における上向きの凸部１０ａを嵌合し、かつ、取付用のフランジ部１０ｂに貫通形成した６個のビス挿通孔１０ｄを利用して６本のビス１４を天井部３を構成している断熱構造パネル２にねじ込んで締結することによって、取付用のフランジ部１０ｂの上面を窓部１２外周辺の内板１ｂの下面に密着させて、窓部１２および照明装置嵌合凹部１３を隠蔽した状態でコンテナ１の天井部３に取り付けられる。
【００２３】
このように、天井部３を構成している断熱構造パネル２の内板１ｂに切欠形成されている既存の窓部１２と、該窓部１２に連通して断熱材１ｃに形成されている既存の照明装置嵌合凹部１３とを活用して照明装置７を取付けることができるので、照明装置７取り付け前段の段取りが省略されることになり、それだけ照明装置７の取付作業が容易になる。
【００２４】
また、皿形の受皿部材１０の凸部１０ａが天井部３を構成している断熱構造パネル２の内板１ｂに切欠形成されている窓部１２を貫通して、該窓部１２に連通して断熱材１ｃに形成されている照明装置嵌合凹部１３に嵌合されることにより、コンテナ１内部の冷気が熱伝導によって光照射ユニット８と保持部材９に伝達されてこれらの温度が低下しても、この温度低下が照明装置嵌合凹部１３に影響するのを抑制することができる。このため、照明装置嵌合凹部１３が存在することで、該照明装置嵌合凹部１３と外板１ａとの間に介在する断熱材１ｃの肉厚Ｔ１が断熱材１ｃの他の部位の肉厚Ｔよりも薄くなり、したがって、照明装置嵌合凹部１３と外板１ａとの間の断熱効果が小さくなっても、外板１ａからの熱放射が抑えられてコンテナ１内部の冷却効果が低下するのを回避することができる。
【００２５】
さらに、光照射ユニット８が複数のＬＥＤ８ａを備えていることにより、直管形の蛍光灯を備えた従来の照明装置と比較して、発熱量を小さく抑えてコンテナ１内部の低温保持に寄与し、かつ、消費電力の削減によって省エネを達成し、しかも、耐久性の向上によって延命を実現することができる。
【００２６】
また、上記実施形態は、車両、特に保冷車・冷蔵車・冷凍車等のコンテナの天井部に照明装置取付用の窓部に設けて取り付ける例で説明したが、本考案は車両、特に保冷車・冷蔵車・冷凍車等のコンテナに取り付ける場合に限定されず、通常の車両のコンテナの天井部に本考案の照明装置を図５に示すように取り付けても良いことはもちろんである。
【図面の簡単な説明】
【００２７】
【図１】本考案の一実施形態を示す説明断面図である。
【図２】図１のＩＩ−ＩＩ線に沿う拡大断面図である。
【図３】拡大して示す図１のＩＩＩ−ＩＩＩ矢視図である。
【図４】図３のＩＶ−ＩＶ線に沿う断面図である。
【図５】本考案の他の実施形態を示す説明断面図である。
【図６】従来例の説明断面図である。
【図７】保冷車・冷蔵車・冷凍車等の一例を示す斜視図である。
【図８】図６のＶＩＩ−ＶＩＩ線に沿う拡大断面図である。
【符号の説明】
【００２８】
１  コンテナ
７  照明装置
８  光照射ユニット
８ａ  ＬＥＤ
９  保持部材
１０  皿形の皿受部材
１０ａ  長方形で上向きの凸部（凸部）
１０ａ  フランジ部
【図１】
0003146265.tif 000003
【図２】
0003146265.tif 000004
【図３】
0003146265.tif 000005
【図４】
0003146265.tif 000006
【図５】
0003146265.tif 000007
【図６】
0003146265.tif 000008
【図７】
0003146265.tif 000009
【図８】
0003146265.tif 000010